(57)【要約】      （修正有）【課題】嵩張ることがなく持ち歩きに便利な携帯埃取り具を提供する。【解決手段】本体３の後端部（非粘着部側の端部）を摘んで持ち上げて、非粘着部を剥離シート１７から離間させる。これにより、非粘着部だけが切込み５を境に持ち上がって半円形の開口が形成される。この開口に一方の手の人差し指、中指及び薬指を挿入し、もう一方の手で剥離シート１７を持つ。そして、指を開口に入れている一方の手を剥離シート１７から離間させるようにして、粘着部を剥離シート１７から剥離させる。指を開口に入れて保持している携帯埃取り具１の粘着部を衣服の埃等の付いている部分に軽く押し当てることで、衣服に付着した埃等を粘着部に移し取って除去する。【選択図】図１
0003208012.tif 000002
【実用新案登録請求の範囲】
【請求項１】
柔軟性を有するシート状の本体と、前記本体の外縁より内側の領域に左右方向へ延びる指挿入用の切込みを形成し、前記本体の裏面に前記切込みを境にして前方側の領域に粘着部を設け、後方側の領域に非粘着部を設けて、且つ前記粘着部が剥離可能な剥離シートに貼られていることを特徴とする携帯埃取り具。
【請求項２】
請求項１に記載した携帯埃取り具において、剥離シートは本体より僅かに大きいシートによって構成されていることを特徴とする携帯埃取り具。
【請求項３】
請求項１または２に記載した携帯埃取り具において、切込みは湾曲していることを特徴とする携帯埃取り具。
【請求項４】
請求項１から３のいずれかに記載した携帯埃取り具において、切込みの両端部は渦巻き状に形成されていることを特徴とする携帯埃取り具。
【請求項５】
請求項１から４のいずれかに記載した携帯埃取り具において、本体の表面は文字、図形等が印刷された表示部になっていることを特徴とする携帯埃取り具。
【考案の詳細な説明】
【技術分野】
【０００１】
本考案は外出時などに携帯し、衣服に付いた埃、ふけ等を取るための携帯埃取り具に関するものである。
【背景技術】
【０００２】
外出時において衣服に付いた埃、ふけ等が気になることがあるが、手で掃うだけでは容易に落ちないことも少なくない。そこで、特許文献１に記載された携帯埃取り具を用いて衣服に付いた埃等を取るようにしている。この携帯埃取り具は外装ケース内に粘着ロールが収容されており、外装ケースを開いて粘着ロールの一部を露出させて、衣服に押し付けることで衣服に付着した埃等を粘着剤層に移し取って除去する。
【先行技術文献】
【特許文献】
【０００３】
【特許文献１】特開２００７−３１９４６２号公報
【考案の概要】
【考案が解決しようとする課題】
【０００４】
しかしながら、上記従来の携帯埃取り具は外装ケースに粘着ロールを収容して成るため、ある程度嵩張ったものとなり、衣服のポケットに入れて持ち歩くには不便である。
本考案は上記従来の問題点に着目して為されたものであり、嵩張ることがなく持ち歩きに便利な携帯埃取り具の提供を、その目的とする。
【課題を解決するための手段】
【０００５】
本考案は上記課題を解決するためになされたものであり、請求項１の考案は、柔軟性を有するシート状の本体と、前記本体の外縁より内側の領域に左右方向へ延びる指挿入用の切込みを形成し、前記本体の裏面に前記切込みを境にして前方側の領域に粘着部を設け、後方側の領域に非粘着部を設けて、且つ前記粘着部が剥離可能な剥離シートに貼られていることを特徴とする携帯埃取り具である。
【０００６】
請求項２の考案は、請求項１に記載した携帯埃取り具において、剥離シートは本体より僅かに大きいシートによって構成されていることを特徴とする携帯埃取り具である。
【０００７】
請求項３の考案は、請求項１または２に記載した携帯埃取り具において、切込みは湾曲していることを特徴とする携帯埃取り具である。
【０００８】
請求項４の考案は、請求項１から３のいずれかに記載した携帯埃取り具において、切込みの両端部は渦巻き状に形成されていることを特徴とする携帯埃取り具である。
【０００９】
請求項５の考案は、請求項１から４のいずれかに記載した携帯埃取り具において、本体の表面は文字、図形等が印刷された表示部になっていることを特徴とする携帯埃取り具である。
【考案の効果】
【００１０】
本考案は嵩張ることがなく、持ち歩くのに極めて便利である。
【図面の簡単な説明】
【００１１】
【図１】本考案の実施の形態に係る携帯埃取り具を剥離シートに貼った状態の表面図である。
【図２】図１の携帯埃取り具の裏面図である。
【図３】図１の携帯埃取り具の使用方法を説明するための斜視図である。
【図４】図１の携帯埃取り具の使用方法を説明するための図である。
【考案を実施するための形態】
【００１２】
本考案の実施の形態に係る携帯埃取り具１を図面にしたがって説明する。
符号３は本体を示し、この本体３は真円形のシート状に形成されている。本体３は柔軟性を有するプラスチックによって構成されている。
本体３には、その外縁より内側の領域に左右方向へ延びる指挿入用の切込み５が形成されている。切込み５は本体３の縁に沿うようにほぼ円弧状に湾曲しており、その両端部５ａ、５ｂは本体３の縁に向かって突出し、且つ渦巻き状に形成されている。
【００１３】
また、本体３の表面は文字７、図形９が印刷された表示部１１となっている。
図２に示すように本体３の裏面には、切込み５を境にして前方側の領域（一点鎖線の斜線を引いた領域）に粘着部１３が設けられており、切込み５を境にして、後方側の領域に非粘着部１５が設けられている。
携帯埃取り具１は、粘着部１３が粘着することで剥離シート１７に貼られている。剥離シート１７は本体３より僅かに大きい正方形のシートによって構成されている。従って、携帯埃取り具１はごくコンパクトなものとなる。
また、粘着部１３は僅かな力で剥離シート１７から剥がすことが可能である。
【００１４】
この携帯埃取り具１の使用方法を説明する。
本体３の後端部（非粘着部１５側の端部）を摘んで持ち上げて、非粘着部１５を剥離シート１７から離間させる。これにより、非粘着部１５だけが切込み５を境に持ち上がり、切込み５によって開口１９が形成される（図３参照）。
この開口１９に一方の手の人差し指、中指及び薬指を挿入し、もう一方の手で剥離シート１７を持つ。そして、指を開口１９に入れている一方の手を剥離シート１７から離間させるようにして、粘着部１３を剥離シート１７から剥離させる。
前述のように切込み５はほぼ円弧状に湾曲しているので、開口１９がほぼ半円形となり、大きな面積となる。従って、開口１９に指を簡単に入れることができる。
【００１５】
図４に示すように、指を開口１９に入れて保持している携帯埃取り具１の粘着部１３を衣服Ｃの埃等の付いている部分に押し当てることで、衣服Ｃに付着した埃等を粘着部１３に移し取って除去する。
このように、携帯埃取り具１では衣服Ｃから埃等をごく簡単に除去することができる。
なお、切込み５の両端部５ａ、５ｂは渦巻き状に形成されているので、開口１９に指を入れても、両端部５ａ、５ｂから本体３を破断しようとする力が縁の方向へ向かうことがなく、本体３が裂けてしまうのを防止することができる。
【００１６】
携帯埃取り具１は、シート状でごくコンパクトであることから嵩張ることがなく衣服のポケットなどに入れることができる。従って、持ち歩きに極めて便利である。
また、表示部１１に企業名や当該企業の図形商標等を印刷することが可能である。従って、企業の広告宣伝用の配布物としても有効に利用することができる。この場合、着色された本体を用いたり、企業名、図形商標等をカラーにしたりすることでより高い宣伝効果を発揮することができる。
【００１７】
以上、本考案の実施の形態について詳述してきたが、具体的構成は、この実施の形態に限られるものではなく、本考案の要旨を逸脱しない範囲における設計の変更などがあっても考案に含まれる。
例えば、本体は真円形ではなく、四角形等他の形状であってもよい。また、切込みも円弧状に湾曲せず、直線状等であってもよい。
また、本体はプラスチックではなく、紙、その他の材料によって構成してもよいのは勿論である。
【産業上の利用可能性】
【００１８】
本考案の携帯埃取り具は、携帯埃取り具等の製造業、更に当該携帯埃取り具に印刷を施すことができることから印刷業においても利用可能性を有する。
【符号の説明】
【００１９】
１…携帯埃取り具                      ３…本体
５…切込み                            ５ａ、５ｂ…切込みの両端部
７…表示部に印刷された文字            ９…表示部に印刷された図形
１１…表示部                          １３…粘着部
１５…非粘着部                        １７…剥離シート
１９…開口                              Ｃ…被服
【図１】
0003208012.tif 000003
【図２】
0003208012.tif 000004
【図３】
0003208012.tif 000005
【図４】
0003208012.tif 000006